(57)【要約】【課題】レンズフード全体を回転させなくともレンズフードを対物レンズ鏡筒に対して脱着できるようにする。【解決手段】  ビデオカメラ１は、対物レンズ鏡筒１８の先端部に設けられたフィルター取付用のネジ７４に螺合することにより前記対物レンズ鏡筒１８の先端部に着脱可能に取付けられるレンズフード１９を備えている。前記レンズフード１９は、枠状のフード本体部８１と、該フード本体部８１に回転自在に取付けられていて前記対物レンズ鏡筒１８のフィルター取付用のネジ７４に螺合されるネジ部８２と、該ネジ部８２を回転させる回転操作部８３と、を備えている。【選択図】  図１４
2006292797.tif 000002
【特許請求の範囲】
【請求項１】
対物レンズ鏡筒の先端部に設けられたフィルター取付用のネジに螺合することにより前記対物レンズ鏡筒の先端部に着脱可能に取付けられるレンズフードを備えた撮像装置であって、
前記レンズフードは、枠状のフード本体部と、該フード本体部に回転自在に取付けられていて前記フィルター取付用のネジに螺合されるネジ部と、該ネジ部を回転させる回転操作部と、を備えていることを特徴とする撮像装置。
【請求項２】
前記フード本体部は、略直方体の枠状に形成されていて、前記回転操作部は、略円筒状に形成されていて、前記フード本体部の上下面から前記円筒状の回転操作部の外周面の一部が前記フード本体部の外部に突出していることを特徴とする請求項１に記載の撮像装置。
【請求項３】
前記対物レンズ鏡筒と前記フード本体部は、前記対物レンズ鏡筒に対して前記フード本体部の位置決めを行う位置決め機構を備えていることを特徴とする請求項１に記載の撮像装置。
【請求項４】
前記位置決め機構は、前記フード本体部に設けた位置決め用の凸部と、前記対物レンズ鏡筒に設けられていて前記位置決め用の凸部が嵌合する位置決め用の凹部と、で構成されていることを特徴とする請求項３に記載の撮像装置。
【請求項５】
前記対物レンズ鏡筒は、該対物レンズ鏡筒に前記フード本体部が取付けられたときに該フード本体部に設けた前記位置決め用の凸部によって押圧操作される検出スイッチを前記位置決め用の凹部の底部に備えていることを特徴とする請求項４に記載の撮像装置。
【請求項６】
枠状のフード本体部と、該フード本体部に回転自在に取付けられていて前記対物レンズ鏡筒の先端部に設けられたフィルター取付用のネジに螺合されるネジ部と、該ネジ部を回転させる回転操作部と、を備え、
前記回転操作部で前記ネジ部を回転させることにより該ネジ部を前記フィルター取付用のネジに螺合することにより前記対物レンズ鏡筒の先端部に着脱可能に取付けられるレンズフード。
【発明の詳細な説明】
【技術分野】
【０００１】
本発明は、ビデオカメラ等の撮像装置および該撮像装置に使用するレンズフードに関し、特にレンズフードを撮像装置に対して容易に着脱できるようにしたものである。
【背景技術】
【０００２】
ビデオカメラ等による撮影時におけるフレアの発生を防止するためにレンズフードが使用される。図１７に示すように、レンズフード１０１は、対物レンズ鏡筒１０２に取付けられて使用される。なお、１０３はビデオカメラ本体部、１０４はビューファインダー、１０５はグリップ部、１０６はマイクロホンである。（例えば特許文献１）
一般に、前記レンズフード１０１は、図１８に示すように、対物レンズ鏡筒１０２の先端部に設けたフィルター取付用のネジ１０７に、レンズフード１０１に設けたネジ部１０８を螺合することにより対物レンズ鏡筒１０２に着脱自在に取付けられるようになっている。
【特許文献１】特開平９−１８７５７号公報
【発明の開示】
【発明が解決しようとする課題】
【０００３】
ところで、前記従来のビデオカメラにおいて、前記対物レンズ鏡筒１０２のフィルター取付用のネジ１０７に螺合するネジ部１０８は、前記レンズフード１０１と一体に形成されていたために、次に述べるような問題点があった。
（１）前記レンズフード１０１を前記対物レンズ鏡筒１０２に取付けるためには、前記レンズフード１０１のネジ部１０８の位置を前記対物レンズ鏡筒１０２のフィルター取付用のネジ１０７の位置に合わせた後に前記レンズフード１０１全体を回転させて、前記ネジ部１０８を前記対物レンズ鏡筒１０２のフィルター取付用のネジ１０７にネジ込んで行かなければならない。
（２）前記レンズフード１０１が円筒状の場合には問題はないが、前記レンズフード１０１が直方体形状の場合には、前記レンズフード１０１のネジ部１０８を前記対物レンズ鏡筒１０２のフィルター取付用のネジ１０７に完全にネジ込んだ時に、図１９に示すように、前記レンズフード１０１が前記対物レンズ鏡筒１０２に対して傾斜した状態になってしまうことがある。
【０００４】
本発明の目的は、レンズフード全体を回転させなくともレンズフードを対物レンズ鏡筒に対して脱着することのできるビデオカメラ等の撮像装置を提供することにある。
【０００５】
また、本発明の他の目的は、レンズフードが直方体形状（角型）の場合にも、レンズフードを傾き無く対物レンズ鏡筒に取付けることのできるビデオカメラ等の撮像装置を提供することにある。
【課題を解決するための手段】
【０００６】
本発明は、対物レンズ鏡筒の先端部に設けられたフィルター取付用のネジに螺合することにより前記対物レンズ鏡筒の先端部に着脱可能に取付けられるレンズフードを備えた撮像装置において、前記レンズフードを、枠状のフード本体部と、該フード本体部に回転自在に取付けられていて前記対物レンズ鏡筒の先端部に設けられたフィルター取付用のネジに螺合されるネジ部と、該ネジ部を回転させる回転操作部と、で構成することにより、前記回転操作部で前記ネジ部を回転させて前記対物レンズ鏡筒のフィルター取付用のネジに螺合させるようにした。特に、前記フード本体部を、略直方体の枠状に形成し、前記回転操作部を、略円筒状に形成して、前記フード本体部の上下面から前記円筒状の回転操作部の一部を前記フード本体部の外部に突出させることにより、該突出部を操作して前記回転操作部を回転させるようにした。
【０００７】
また、前記対物レンズ鏡筒と前記フード本体部に、前記対物レンズ鏡筒に対して前記フード本体部を位置決めして取付ける位置決め機構を設け、該位置決め機構により、前記対物レンズ鏡筒と前記フード本体部の相対的な位置関係を規定した。また、前記位置決め機構を、前記フード本体部に設けた位置決め用の凸部と、前記対物レンズ鏡筒に設けられていて前記位置決め用の凸部が嵌合する位置決め用の凹部と、で構成し、前記フード本体部のネジ部を前記対物レンズ鏡筒のフィルター取付用のネジに螺合する際に、前記位置決め用の凸部が嵌合する位置決め用の凹部に挿入して、前記フード本体部を位置決めできるようにした。前記位置決め用の凹部の底部に前記対物レンズ鏡筒に前記フード本体部が取付けられたことを検出する検出スイッチを設け、前記フード本体部のネジ部が前記対物レンズ鏡筒のフィルター取付用のネジの所定の位置まで捻じ込まれたときに、前記フード本体部に設けた位置決め用の凸部の先端で前記検出スイッチが押圧操作されるようにした。
【発明の効果】
【０００８】
従来のようにレンズフード全体を回転させることなく、前記回転操作部のみを回転させて、前記レンズフードを前記対物レンズ鏡筒に取付けることができる。特に、前記回転操作部の一部を前記フード本体部の外部に突出させたので、該突出部を摘んで前記回転操作部を回転させることにより、前記ネジ部を前記対物レンズ鏡筒のフィルター取付用のネジに捻じ込むことができる。
【０００９】
前記位置決め機構により、前記対物レンズ鏡筒に対する前記フード本体部の相対的な位置関係を規定して、前記対物レンズ鏡筒に対して前記フード本体部を傾き無く前記フード本体部に取付けることができる。特に、前記位置決め機構を、前記フード本体部に設けた位置決め用の凸部と、前記対物レンズ鏡筒に設けられていて前記位置決め用の凸部が嵌合する位置決め用の凹部と、で構成したので、前記フード本体部のネジ部を前記対物レンズ鏡筒のフィルター取付用のネジに螺合する前に、前記位置決め用の凸部を前記位置決め用の凹部に挿入するという簡単な操作で前記対物レンズ鏡筒に対する前記フード本体部の位置決めを行うことができる。また、前記フード本体部のネジ部が前記対物レンズ鏡筒のフィルター取付用のネジの所定の位置まで捻じ込まれたときに、前記フード本体部に設けた位置決め用の凸部の先端で前記検出スイッチが押圧操作して、前記フード本体部が前記対物レンズ鏡筒に取付けられたことを自動的に検出することができる。従って、前記レンズフードを取付けたことによって、フラッシュ使用時に所謂ケラレが発生する虞のある場合には、その旨をモニターに表示し、注意を喚起することが可能になる。
【発明を実施するための最良の形態】
【００１０】
以下、本発明の撮像装置を、（１）撮像装置の概略構成、（２）対物レンズ鏡筒およびレンズフードの構成、（３）把持部（指先当接部）の構成、（４）マイクロホン機構の構成、（５）作用、の順に説明する。
（１）撮像装置の概略構成、
図１〜図３は撮像装置の一例としてのビデオカメラ１を示し、図１はビデオカメラ１をグリップベルト側から見た斜視図、図２はビデオカメラ１をモニター側から見た斜視図、図３はビューファインダー及びモニターの使用状態にした斜視図である。ビデオカメラ１は、カメラ本体部２と、該カメラ本体部２の前面側に設けられたフロントキャビネット３と、前記カメラ本体部２の上面２ａ側に設けられたビューファインダー４と、前記カメラ本体部２の第１の側面２ｂに設けられたグリップベルト５と、前記カメラ本体部２の前記第１の側面２ｂと対向する第２の側面２ｃに設けられたモニター６と、前記カメラ本体部２の後端面２ｄに着脱自在に取り付けられるバッテリーボクッス７と、を備えている。前記フロントキャビネット３の上部には格納式のフラッシュ８が設けられ、該フラッシュ８の両側部には一対のマイクロホン機構９、９が設けられている。また、前記カメラ本体部２の前記第１の側面２ｂにはメモリーカード１１を挿入するメモリーカード挿入口１２が設けられている。
【００１１】
前記カメラ本体部２の上面２ａには前記カメラ本体部２を把持したときに、指先が当たる把持部１３が設けられている。
【００１２】
そして、図４に示すように、親指１１１ｅをグリップベルト５の外に出した状態で人差し指１１１ａ、中指１１１ｂ、薬指１１１ｃ、小指１１１ｄを前記カメラ本体部２の第１の側面２ｂとグリップベルト５との間に差し込んで、前記中指１１１ｂ、薬指１１１ｃ、小指１１１ｄの指先で、前記カメラ本体部２の上面２ａに設けた把持部１３を押さえて前記カメラ本体部２を把持すると共に、前記グリップベルト５の外に出している親指１１１ｅで前記カメラ本体部２の後面２ｄ側に設けた電源釦１４や動画撮影用のスタートストップ釦１５等を操作し、人差し指１１１ａで前記カメラ本体部２の上面２ａに設けた静止画撮影用のスタートストップ釦１６やズーム釦１７等を操作可能になっている。
【００１３】
また、前記フロントキャビネット３の先端部には対物レンズ鏡筒１８が取付けられ、該対物レンズ鏡筒１８の先端にはレンズフード１９が取外可能に取付けられている。
（２）対物レンズ鏡筒およびレンズフードの構成、
図１４は対物レンズ鏡筒１８にレンズフード１９が取付けられている状態の断面図、図１５は対物レンズ鏡筒１８とレンズフード１９の斜視図、図１６はレンズフード１９を対物レンズ鏡筒１８への取付け面側から見た斜視図である。
【００１４】
図１４に示すように、対物レンズ鏡筒１８は、前記フロントキャビネット３の先端部に取付けられる鏡筒本体部７１と、該鏡筒本体部７１に対して進退移動するレンズホルダ７２と、前記回転自在に取付けられていて一方向に回転させることにより前記レンズホルダ７２を前記鏡筒本体部７１に対して突出方向に移動させると共に他方向に回転させることにより前記レンズホルダ７２を前記鏡筒本体部７１に対して反突出方向（退出方向）に移動させる移動操作部７３と、を備えている。前記レンズホルダ７２には対物レンズ（図示省略）が取付けられていると共に、先端部の内周面にはフィルター取付用のネジ７４が設けられていて、該フィルター取付用のネジ７４に次に説明するレンズフード１９のネジ部８２が螺合するようになっている。
【００１５】
前記レンズフード１９は、枠状のフード本体部８１と、該フード本体部８１に回転自在に取付けられていて前記対物レンズ鏡筒１８に設けられたフィルター取付用のネジ７４に螺合されるネジ部８２と、該ネジ部８２を回転させる回転操作部８３と、を備えている。
【００１６】
図１５に示すように、前記フード本体部８１は、上，下面８１ａ，８１ｂおよび左，右側面８１ｃ，８１ｄによって略直方体の枠状に形成されていて、背面８１ｅ側に前記回転操作部８３が回転可能に取付けられている。
【００１７】
図１６に示すように、前記対物レンズ鏡筒１８に設けられたフィルター取付用のネジ７４に螺合されるネジ部８２は、次に説明する回転操作部８３の内周側に設けられていて、回転操作部８３と共に回転するようになっている。
【００１８】
前記回転操作部８３は、略円筒状に形成されていて、内周側に前記ネジ部８２が設けられている。前記回転操作部８３は、外周面の一部が前記フード本体部８１の上，下面８１ａ，８１ｂに設けた切欠部８１ｆから前記フード本体部８１の外部に突出していて、これら突出部を摘んで回転させるようになっている。
【００１９】
図１５に示すように、前記対物レンズ鏡筒１８と前記フード本体部８１には、前記対物レンズ鏡筒１８に対して前記フード本体部８１の位置決めを行う位置決め機構９１が設けられている。
【００２０】
前記位置決め機構９１は、前記フード本体部８１に設けた位置決め用の凸部９２と、前記対物レンズ鏡筒１８に設けられていて前記位置決め用の凸部９２が嵌合する位置決め用の凹部９３と、で構成されている。
【００２１】
図１６に示すように、前記位置決め用の凸部９２は、前記ネジ部８２の内側に位置させた状態で前記フード本体部８１の上,下部に一対形成されている。一方、前記位置決め用の凹部９３は、図１５に示すように、前記対物レンズ鏡筒１８に設けられたフィルター取付用のネジ７４の内側に位置させた状態で前記対物レンズ鏡筒１８の上,下部に一対形成されている。
【００２２】
前記前記一対の位置決め用の凹部９３の少なくとも一方の底部には、前記対物レンズ鏡筒１８に前記レンズフード１９が取付けられたことを検出する検出スイッチ９４が設けられている。
【００２３】
次に、前記レンズフード１９を前記対物レンズ鏡筒１８へ取付ける方法について説明する。先ず、前記レンズフード１９に設けた上下一対の位置決め用の凸部９２を、前記対物レンズ鏡筒１８に設けた上下一対の位置決め用の凹部９３に挿入する。これにより前記対物レンズ鏡筒１８に対して前記レンズフード１９の位置決めが行われ、前記対物レンズ鏡筒１８の上下と前記フード本体部８１の上下が略一致した状態になると共に、前記レンズフード１９のネジ部８２の端部と、前記対物レンズ鏡筒１８に設けられたフィルター取付用のネジ７４の端部とが重なって、両者が螺合可能な状態になる。
【００２４】
そこで、前記フード本体部８１の上，下面８１ａ，８１ｂから突出している前記回転操作部８３の外周面の一部、即ち突出部を摘んで前記回転操作部８３を回転させれば、該回転操作部８３と共に前記ネジ部８２が回転し、前記対物レンズ鏡筒１８に設けたフィルター取付用のネジ７４に螺合する。前記レンズフード１９のネジ部８２と前記対物レンズ鏡筒１８のフィルター取付用のネジ７４の螺合度合いが増すと共に、前記レンズフード１９に設けた位置決め用の凸部９２は、前記対物レンズ鏡筒１８に設けた位置決め用の凹部９３内に深く進入して行く。そして、前記レンズフード１９が前記対物レンズ鏡筒１８に完全に取付けられた状態になると、前記レンズフード１９に設けた位置決め用の凸部９２の先端部で前記位置決め用の凹部９３の底部に設けた検出スイッチ９４を操作して、前記対物レンズ鏡筒１８に前記レンズフード１９が取付けられたことを検出する。前記レンズフード１９が取付けられたことを検出するのは、レンズフード１９の大きさによっては、フラッシュを使用したときに、所謂ケラレが発生する虞がある。そこで、このようなケラレの発生する虞のあるレンズフード１９が取付けられた場合に、これを検出してモニターにコーションを表示し、注意を促すようになっている。なお、ケラレが発生する虞のないレンズフードの場合には、前記位置決め用の凸部９２を短くしておいて、レンズフードが対物レンズ鏡筒１８に取付けられた場合でも、前記位置決め用の凸部９２で前記検出スイッチ９４を操作不可能にすることができる。
（３）把持部（指先当接部）の構成、
図１に示すように、前記把持部１３は、前記カメラ本体部２の上面２ａに前面側（フロントキャビネット３側）から後面２ｄ側に向かって光軸方向に帯状に伸びるように形成されている。そして、前述したように、前記カメラ本体部２をグリップしたときに前記中指１１１ｂ、薬指１１１ｃ、小指１１１ｄの指先が当たるようになっている。
【００２５】
図５に示すように、前記把持部１３の上面は、前記カメラ本体部２の前面側から後面側に向かって上り勾配になる傾斜面１３ａになっている。前記傾斜面１３ａは、傾斜角度の小さい第１の傾斜面部１３ｂと、該第１の傾斜面部１３ｂよりも傾斜角度の大きな第２の傾斜面部１３ｃを備えていて、前記第１の傾斜面部１３ｂに小指１１１ｄの指先が当たり、第２の傾斜面部１３ｃに人差し指１１１ａ、中指１１１ｂ、薬指１１１ｃの指先が当たるようになっている。
【００２６】
前記把持部１３の傾斜角度は、図１５に示したように、前記カメラ本体部２を把持するべく前記人差し指１１１ａ、中指１１１ｂ、薬指１１１ｃ、小指１１１ｄを折り曲げた場合のこれら人差し指１１１ａ、中指１１１ｂ、薬指１１１ｃ、小指１１１ｄの指先の高低差により発生する傾斜角度に見合うように形成されている。
【００２７】
また、図６に示すように、前記把持部１３の上面１３ａは、前記カメラ本体部２の第１の側面２ｂの端部から該第１の側面２ｂに対向する第２の側面２ｃの端部までの間が略円弧状の凹面に形成されていて、前記人差し指１１１ａ、中指１１１ｂ、薬指１１１ｃ、小指１１１ｄの指先を前記把持部１３の上面１３ａに当てたときに、前記人差し指１１１ａ、中指１１１ｂ、薬指１１１ｃ、小指１１１ｄの指先を前記把持部１３の上面１３ａにフィットさせて、前記指先で前記把持部１３を確実に押すことが可能になる。また、前記把持部１３の上面１３ａは、粗面にする等の方法により滑り止め処理が施されていて、前記把持部１３の上面１３ａを押した際に指先が滑るのを防止している。前記把持部１３は、前記カメラ本体部２と別個（別体）に形成されていてカメラ本体部２に取付ける構成になっている。
【００２８】
前記カメラ本体部２の上面２ａの前記把持部１３を設けた部分の近傍は、前記把持部１３の傾斜角度と略同じ傾斜角度の傾斜面２ｆに形成されている。前記傾斜面２ｆの上端側に前記ビューファインダー４が配置されている。前記ビューファインダー４は、チルト機構（図示省略）により前記カメラ本体部２の上面２ａに対して傾斜角度を調整可能に取付けられている。
【００２９】
前記ビューファインダー４は、前記カメラ本体部２の上面２ａ側に倒したときの最小傾斜角度が前記カメラ本体部２の上面２ａおよび前記把持部１３の長さ方向（光軸方向）の傾斜角度と略等しい値に設定されている。そして、前記ビューファインダー４をカメラ本体部２の上面２ａ側に倒し、前記ビューファインダー４を最小傾斜角度にしたときに，図１、図２に示すように、前記ビューファインダー４と前記カメラ本体部２の上面２ａおよび前記把持部１３が略同じ傾斜角度で連続して、前記把持部１３が存在することによる違和感を無くして、外観的にも優れたものにしている。前記ビューファインダー４は、前記カメラ本体部２の上面２ａ側に倒した最小傾斜角度の状態から、図３に示す前記カメラ本体部２の上面２ａに対して略直角に起立させた最大傾斜角度の範囲内で所望の傾斜角度にして使用可能になっている。
（４）マイクロホン機構の構成、
図３に示すように、前記マイクロホン機構９は、前記フロントキャビネット３の上部に設けたポップアップ式のフラッシュ機構８の両側部に配置されている。
【００３０】
図７に示すように、前記マイクロホン機構９は、第１,第２のマイク本体部２１,２２を備えている。前記第１,第２のマイク本体部２１,２２は、前記フロントキャビネット３の前後方向ａ，ｂに所定の間隔をもって配置されている。
【００３１】
図８に示すように、前記マイクロホン機構９は、前記第１,第２のマイク本体部２１,２２と、これら第１,第２のマイク本体部２１,２２を収納するエラストマーやゴム等の弾性材で形成された第１,第２のダンパー２３,２４と、これら第１,第２のダンパー２３,２４を第１,第２のダンパー取付孔２５，２６に取付けるダンパー支持プレート２７と、を備えている。
【００３２】
前記ダンパー支持プレート２７は、前記第１のダンパー取付孔２５に取り付けた第１のダンパー２３を前記フロントキャビネット３のマイク取付部２８に設けた第１のマイク受孔２９に臨ませ、前記第２のダンパー取付孔２６に取り付けた第２のダンパー２４を前記マイク取付部２８に設けた第２のマイク受孔３０に臨ませた状態で前記フロントキャビネット３の内面に取付けられる。
【００３３】
図９に示すように、前記ダンパー支持プレート２７は、前記フロントキャビネット３の内面に取付ける際に該フロントキャビネット３の内面に設けた位置決め部３１に係合して該ダンパー支持プレート２７の前記フロントキャビネット３の内面に対する位置決めを行う第１の被位置決め部３２を一側部に備え、他側部に前記フロントキャビネット３の内面に設けた円柱状のボス部３３の周面に係合する円弧面状の第２の被位置決め部３４（図８参照）を備えている。
【００３４】
図１０、図１１に示すように、前記第１のダンパー２３は、前記第１のマイク本体部２１を収納する内筒部４１と、該内筒部４１の一端を折り返した状態に形成された外筒部４２と、該外筒部４２の一端部に設けられたフランジ部４３と、を備えている。前記フランジ部４３は、外周面に環状の凹溝４４を備えている。
【００３５】
前記第１のダンパー２３は、環状の凹溝４４内に前記ダンパー支持プレート２７の第１のダンパー取付孔２５の周縁部を嵌合することにより前記ダンパー支持プレート２７に取付けられている。前記第２のダンパー２４も前記第１のダンパー２３と同様に形成されていて、前記ダンパー支持プレート２７の第２のダンパー取付孔２６に取り付けられている。
【００３６】
前記第１,第２のダンパー２３,２４の内筒部４１は、前記フロントキャビネット３の前後方向ａ，ｂに長い長円形状に形成されていて、これらダンパー２３,２４の内筒部４１は、直列方向に配置されている。
【００３７】
前記第１のダンパー２３の内筒部４１の上面４５には前記マイク本体部２１の外径よりも小径の孔部４６が設けられていると共に、前記内筒部４１内には、前記第１のマイク本体部２１を挿入保持する円筒状のマイク本体収納部４７が設けられている。前記マイク本体収納部４７の下面４８には切欠部４９が形成されていて、該切欠部４９を押し広げることにより前記マイク本体収納部４７内に前記マイク本体部２１が収納される。そして、前記第１のマイク本体部２１の上面が前記孔部４６を介して外部に臨むと共に、前記第１のマイク本体部２１に接続されたリード線５０は、前記切欠部４９を介して前記内筒部４１の外部に引き出される。
【００３８】
前記第２のダンパー２４の内筒部４１も前記第１のダンパー２３の内筒部４１と同様に形成されていて、前記第２のマイク本体部２２の上面が前記孔部４６を介して外部に臨むようになっていると共に、前記第２のマイク本体部２２に接続されたリード線５１は、前記切欠部４９を介して前記内筒部４１の外部に引き出されている。なお、前記第１,第２のダンパー２３,２４の内筒部４１の下部には蓋板取付部５２が設けられていて、該蓋板取付部５２に取り付けた蓋板５３によって、前記切欠部４９が閉塞される。
【００３９】
図１０に示すように、第１のダンパー２３は、前記ダンパー支持プレート２７の第１のダンパー取付孔２５に取り付けられ、第２のダンパー２４は、前記ダンパー支持プレート２７の第２のダンパー取付孔２６に取り付けられる。
【００４０】
前記ダンパー支持プレート２７は、前記第１のダンパー取付孔２５に取り付けた第１のダンパー２３を前記フロントキャビネット３のマイク取付部２８に設けた第１のマイク受孔２９に臨ませ、前記第２のダンパー取付孔２６に取り付けた第２のダンパー２４を前記マイク取付部２８に設けた第２のマイク受孔３０に臨ませる。そして、図９に示すように、前記ダンパー支持プレート２７に設けた第１の被位置決め部３２を前記フロントキャビネット３に設けた位置決め部３１に係合すると共に、前記ダンパー支持プレート２７の一側部に設けた円弧面状の第１の被位置決め部３４（図８参照）を前記フロントキャビネット３の内面に円柱状のボス部３３の周面に係合させることにより前記フロントキャビネット３のマイク取付部２８の内面に位置決めした状態で取付けられる。そして、前記ダンパー支持プレート２７は、その背面側をカバープレート５４で覆われる。
【００４１】
図９に示すように、前記カバープレート５４は、一側部に舌片状の第１の固定部３５を備え、他側部にボス状の第２の固定部３６を備えている。前記カバープレート５４は、第１の固定部３４を前記フロントキャビネット３に設けた位置決め部３１に係合することにより前記ダンパー支持プレート２７に設けた第１の被位置決め部３２を前記フロントキャビネット３に内面に押し付けた状態で固定される。また、前記ボス状の第２の固定部３６は、前記フロントキャビネット３の内面に設けた円柱状のボス部３３の先端部に重ね合わせた状態でビス３７により固定される。そして、図１２に示すように、前記第１,第２のダンパー２３,２４のフランジ部４３を前記カバープレート５４の周縁部５４ａで前記ダンパー支持プレート２７に押し付けてダンパー支持プレート２７に設けた前記第１，第２のダンパー取付孔２５,２６を封止し、前記第１,第２のダンパー２３,２４から外部に漏れて、前記本体部内のモータ音等が第１,第２のマイク本体部２１,２２に拾われるのを防止している。前記フロントキャビネット３のマイク取付部２８の外面にはグリルユニット６１が組み付けられている。
【００４２】
図８、図９に示すように、前記グリルユニット６１は、無数の小孔を設けた金属または合成樹脂製のマイクグリル６２と、該マイクグリル６２の下面に重ね合わされる不織布製のフィルターシート６３と、前記マイクグリル６２とフィルターシート６３を支持する合成樹脂製のベースプレート６４と、を備えている。
【００４３】
前記マイクグリル６２は、複数の係合突起６５を備えていて、前記フィルターシート６３を前記ベースプレート６４の間で挟んだ状態で前記複数の係合突起６５を前記ベースプレート６４に設けた突起係合部６６に係合させることにより、前記ベースプレート６４の表面に組み付けられる。
【００４４】
前記ベースプレート６４は、係合突起６７を備えていて、該係合突起６７を前記フロントキャビネット３に設けた突起係合部６８に係合させることにより、前記フロントキャビネット３のマイク取付部２８に組み付けられる。
（５）作用、
実施例の撮像装置は、上述のような構成であって、前記レンズフード１９を使用する場合には、該レンズフード１９に設けた上下一対の位置決め用の凸部９２を、前記対物レンズ鏡筒１８に設けた上下一対の位置決め用の凹部９３に挿入して、前記回転操作部８３を回転させることにより、容易に前記レンズフード１９を前記対物レンズ鏡筒１８に取付けることができる。そして、取付けたレンズフード１９がフッラシュを使用したときに所謂ケラレを生じる虞がある大きさの場合には前記レンズフード１９に設けた位置決め用の凸部９２で前記検出スイッチ９４を押圧操作して、モニターにコーションを表示する。
【００４５】
そして、図１３に示すように、グリップベルト５と前記カメラ本体部２の一側面２ｂとグリップベルト５との間に人差し指１１１ａ、中指１１１ｂ、薬指１１１ｃ、小指１１１ｄの４本の指を差し込んで、これらの指先で前記傾斜状の把持部１３を押さえる。一方、前記グリップベルト５の外部に出している親指１１１ｅの付け根部分で前記カメラ本体部２の後端の下端部を支持する。前記人差し指１１１ａ、中指１１１ｂ、薬指１１１ｃ、小指１１１ｄ等の指先で前記把持部１３を押さえたときに掛かる力Ｆ１の方向と、前記親指の付け根部分によって前記カメラ本体部２の後端の下端部に掛かる力Ｆ２の方向が略対向方向になるので、従来の前記カメラ本体部のフラットな上面を押さえていた場合のように、カメラ本体部に回転方向（倒れ方向）の力Ｆ３が発生せず、従って、カメラ本体部２を安定した状態で把持することが可能になる。特に、ビューファインダー４のアイカップ４ａに目を当てた状態で撮影すると、目によって押される力Ｆ４によってより安定した状態でカメラ本体部２を把持することが可能になる。
【００４６】
人差し指１１１ａをフリーな状態にしておくことにより、人差し指１１１ａで前記カメラ本体部２の上面２ａに設けた静止画撮影用のスタートストップ釦１６やズーム釦１７の操作が可能になる。また、前記グリップベルト５の外部に出している親指１１１ｅで前記カメラ本体部２の後面２ｄ側に設けた電源釦１４や動画撮影用のスタートストップ釦１５等の操作が可能になる。
【図面の簡単な説明】
【００４７】
【図１】第１の実施の形態のビデオカメラをグリップベルト側から見た斜視図。
【図２】ビデオカメラをモニター側から見た斜視図。
【図３】ビューファインダー及びモニターの使用状態にした斜視図。
【図４】ビデオカメラを把持している状態の斜視図。
【図５】ビデオカメラの要部の斜視図。
【図６】図５のＡ−Ａ断面図。
【図７】フロントキャビネットに第１、第２のマイク本体部を取付けた状態の斜視図。
【図８】マイクロホン機構の分解斜視図。
【図９】マイクロホン機構の分解斜視図。
【図１０】ダンパーの断面図。
【図１１】ダンパーの断面図。
【図１２】フロントキャビネットに取付けられたマイクロホン機構の断面図。
【図１３】ビデオカメラを使用して撮影している状態の側面図。
【図１４】対物レンズ鏡筒にレンズフードが取付けられている状態の断面図。
【図１５】対物レンズ鏡筒とレンズフードの斜視図。
【図１６】レンズフードを対物レンズ鏡筒への取付け面側から見た斜視図。
【図１７】従来例の斜視図。
【図１８】従来例の断面図。
【図１９】従来例の問題点を示す説明図。
【符号の説明】
【００４８】
１…ビデオカメラ、１８…対物レンズ鏡筒、１９…レンズフード、７４…フィルター取付け用のネジ、８１…フード本体部、８２…ネジ部、８３…回転操作部、９１…位置決め機構、９２…位置決め用の凸部、９３…位置決め用の凹部、９４…検出スイッチ。
【図１】
2006292797.tif 000003
【図２】
2006292797.tif 000004
【図３】
2006292797.tif 000005
【図４】
2006292797.tif 000006
【図５】
2006292797.tif 000007
【図６】
2006292797.tif 000008
【図７】
2006292797.tif 000009
【図８】
2006292797.tif 000010
【図９】
2006292797.tif 000011
【図１０】
2006292797.tif 000012
【図１１】
2006292797.tif 000013
【図１２】
2006292797.tif 000014
【図１３】
2006292797.tif 000015
【図１４】
2006292797.tif 000016
【図１５】
2006292797.tif 000017
【図１６】
2006292797.tif 000018
【図１７】
2006292797.tif 000019
【図１８】
2006292797.tif 000020
【図１９】
2006292797.tif 000021